(57)【要約】【課題】基準クロックに対して従属クロックが流れているドリフト状態及び、基準クロックと従属クロックが規定範囲外の位相でロックしている状態でも確実にＰＬＬドリフト警報を検出する。【解決手段】ＰＬＬの故障等で同期が外れ従属クロックが流れている状態では、基準クロックと従属クロックの位相関係が正常／異常を繰り返すため、その連続性を監視することにより同期外れを検出する。同時に基準クロックと従属クロックの位相関係を監視し、規定範囲外の位相で同期（ロック）している場合に位相外れを検出し、ドリフト警報検出部３１Ｃでそれらの情報を基にドリフト異常を判断する。【選択図】　　　図１０
2004129093.tif 000002
【特許請求の範囲】
【請求項１】
入力電圧に応じて発振周波数が制御される電圧制御発振器と、基準クロックと前記電圧制御発振器の出力クロックとの位相差に応じた幅のパルスを発生させる位相比較手段と、前記位相比較手段の出力を平滑する平滑化手段とを含むＰＬＬ電圧制御発振回路のドリフト警報状態を検出するＰＬＬドリフト警報検出回路において、
前記基準クロックを分周して基準分周クロックを生成する基準クロック分周部と、
前記電圧制御発振器から出力周波数を分周して従属分周クロックを生成する従属クロック分周部と、
前記従属分周クロックに基づきウインドウパルスを生成するウインドウパルス生成部と、
前記基準分周クロックと前記従属分周クロックとの位相状態を監視し予め規定する位相誤差が検出された場合に位相外れ検出信号を出力する位相外れ監視部と、
前記位相外れ検出信号の位相変化を検出し位相変化信号を出力する位相変化監視部と、
前記位相外れ検出信号と前記位相変化信号の双方又は何れか一方が検出されたときにドリフト状態と判定するドリフト警報検出部と、
を備えていることを特徴とするＰＬＬドリフト警報検出回路。
【請求項２】
前記ドリフト警報検出部は、所定のクロックで前記位相外れ検出信号と前記位相変化検出信号を検出することを特徴とする請求項１記載のＰＬＬドリフト警報検出回路。
【請求項３】
前記ウインドウパルス生成部は、前記従属分周クロックの立ち上がり或いは立ち下がりの変化点に同期し所定デューティ比のウインドウパルスを生成することを特徴とする請求項１記載のＰＬＬ警報検出回路。
【発明の詳細な説明】
【０００１】
【発明の属する技術分野】
本発明は、基準クロックに従属クロックを同期させるＰｈａｓｅ　Ｌｏｃｋ　Ｌｏｏｐ（以下、ＰＬＬという。）回路に関し、特にＰＬＬ回路の自走状態を検出するドリフト警報検出回路及び、検出方法に関する。
【０００２】
【従来の技術】
従来、この種のＰＬＬドリフト警報検出方式（以下、従来技術１という）には、図１に示すように、基準クロック１００を分周するクロック分周部１１と、位相比較部１２と、従属クロック分周部１３、フィルタ（ＦＩＬ）１４と、増幅器（ＡＭＰ）１５と、電圧制御発信器（ＯＳＣ）１６から構成されている。
【０００３】
位相比較部１２は、位相比較波生成部１２ａと、ドリフト警報検出部１２ｂから構成され、従属クロック分周部１３は従属クロックを分周する従属クロック分周部１３ａと、従属クロックからウインドウパルスを生成するウインドウパルス生成部１３ｂから構成されている。
【０００４】
位相比較波生成部１２ａは基準クロック１００を分周するクロック分周器１１の出力１０１と、従属クロックを分周する従属クロック分周部１３のクロック分周器１３ａの出力１０３との位相差に応じた波形を生成する。
【０００５】
位相比較波生成部１２ａで生成された波形はフィルタ１４と増幅器１５とを通して電圧制御発振器１６に入力される。電圧制御発振器１６はその波形に応じた周波数の従属クロックを生成して出力する。
【０００６】
従属クロックと基準クロックとの位相関係の監視は、従属クロックを基にウインドウパルス生成部１３ｂで生成されたウインドウパルス１０２を、基準クロック１００をクロック分周器１１で分周したクロック１０１によって監視することで行われる。
【０００７】
ここで、ドリフト警報検出部１２ｂの実施例として、図２に示すように、フリップフロップ（Ｆ／Ｆ）１２ｂ−１で構成されたものがある。フリップフロップ１２ｂ−１はクロック分周器１１からの基準クロック１００を分周したクロック１０１によってウインドウパルス生成部１３ｂで生成されたウインドウパルス１０２の内容を保持し、その保持内容をドリフト警報出力１０４として出力する。尚、タイムチャートを図３，４，５に示す。
【０００８】
しかしながら、上記のドリフト警報検出方式では、ドリフト警報検出部が従属クロックを基に生成されたウインドウパルスを、基準クロックを分周したクロックによって監視するためのフリップフロップで構成されている場合、ＰＬＬ回路に異常がない時には図３に示すような動作を行い、基準クロックと従属クロックとの位相関係が一定している。このとき、従属クロックを基に生成されたウインドウパルスと基準クロックとの位相関係も一定している。ドリフト警報検出部ではフリップフロップがウインドウパルスを基準クロックでラッチしているが、常に一定の値（例えば、Ｈｉｇｈレベル）がラッチされるので、この場合にはＰＬＬ回路が正常状態であることがドリフト警報出力によって通知される。
【０００９】
ＰＬＬ回路が発振器等の故障によって基準クロックに対して自走状態となるような異常が発生すると、図４に示すような動作あるいは図５に示すような動作となる。
【００１０】
基準クロックに対して従属クロックの同期が外れると、従属クロックは基準クロックに対して位相が固定せずに、矢印方向に流れるようになる。図４に示す動作では従属クロックが右方向に流れているが（破線で示す）、従属クロックが左方向に流れることもある。
【００１１】
すると、従属クロックを基にウインドウパルス生成部で作成されたウインドウパルスも基準クロックに対して流れるようになる。ドリフト警報検出部ではウインドウパルスを基準クロックでラッチしているので、ウインドウパルスが流れているためにラッチする位置によってはＨｉｇｈレベルまたはＬｏｗレベルをラッチしてしまうこととなる。
【００１２】
つまり、ＰＬＬ回路で故障が発生して、完全にドリフト異常状態であるにもかかわらず、ドリフト警報検出部で検出されるドリフト状態としては正常状態と異常状態とが繰り返され、外部に対して正常状態及び異常状態が交互に通知されることとなる。
【００１３】
このような問題を解決し、基準クロックと従属クロックとの間の同期が外れ、それらの位相関係が外れ、それらの位相関係が連続しても、その変化状態を確実に検出してドリフト警報として出力できるものとして、特開平０８−２５１０２０号公報（以下、従来技術２という。）に記載された技術が知られている。公知例１の回路ブロックを図６に示し、ＰＬＬ回路は位相比較部２１と、従属クロック分周部２２と、基準クロック２００を分周する基準クロック分周部２３と、基準クロック２００を基にウインドウパルス２０１を生成するウインドウパルス生成部２４と、フィルタ（ＦＩＬ）２５と、増幅器（ＡＭＰ）２６と、電圧制御発振器（ＯＳＣ）２７とから構成されている。
【００１４】
位相比較部２１は位相比較波生成部２１ａと、位相変化信号生成部２１ｂと、ドリフト警報検出部２１ｃから構成され、従属クロック分周部２２は従属クロックを分周する従属クロック分周部２２ａと、従属クロックを分周したクロックからｎ本（ｎは正の整数）の多位相信号２０２を生成する多位相信号生成部２２ｂとから構成されている。
【００１５】
電圧制御発振器２７から出力された従属クロックは従属クロック分周部２２の分周器２２ａに入力されて回路構成上決められた値に分周され、位相比較部２１の位相比較波生成部２１ａに出力される。位相比較波生成部２１ａには基準クロック分周部２３で基準クロック２００を分周した基準分周クロック２０５も入力される。
【００１６】
また、従属クロック分周部２２ａで従属クロックを分周した従属分周クロック２０４は多位相信号生成部２２ｂにも入力され、多位相信号生成部２２ｂはその分周クロックを基に各々位相が異なるｎ本の多位相信号２０２を生成する。尚、実施例では多位相信号生成部２２ｂで５本の多位相信号２０２を生成しているが、この信号数も回路構成上必要とされる数だけ生成される。
【００１７】
位相変化信号生成部２１ｂには多位相信号生成部２２ｂで生成された５本の多位相信号２０２と、ウインドウパルス生成部２４で基準クロック２００を基に生成されたウインドウパルス２０１が入力される。位相変化信号生成部２１ｂはウインドウパルス２０１を５本の多位相信号２０２によって各々監視する。
【００１８】
ドリフト警報検出部２１ｃには位相変化信号生成部２１ｂが５本の多位相信号２０２で監視するウインドウパルス２０１各々の監視結果が入力され、それらの監視結果を基にドリフト状態を判断し、その判断結果をドリフト警報出力２０３として出力する。
【００１９】
図７は、図６の位相比較部２１の位相変化信号生成部２１ｂ及びドリフト警報検出部２１ｃ各々の構成を示すブロック図である。図において、位相変化信号生成部２１ｂは多位相信号生成部２２ｂで生成される多位相信号２０２各々に対応するフリップフロップ（Ｆ／Ｆ）２１ｂ−１〜２１ｂ−５で構成され、ドリフト警報検出部２１ｃは位相変化信号生成部２１ｂの出力信号各々に対応するフリップフロップ２１ｃ−１〜２１ｃ−５と、フリップフロップ２１ｃ−１〜２１ｃ各々の出力を基にドリフト状態を判断するドリフト警報判断部２１ｃ―６とから構成されている。
【００２０】
位相変化信号生成部２１ｂではフリップフロップ２１ｂ−１〜２１ｂ−５各々が多位相信号生成部２２ｂで生成される多位相信号２０２、つまり各々位相が異なる位相Ａ〜位相Ｅの信号によってウインドウパルス生成部２４からのウインドウパルス２０１をラッチし、そのラッチ内容を各々ドリフト警報検出部２１ｃに出力する。
【００２１】
ドリフト警報検出部２１ｃではフリップフロップ２１ｃ−１〜２１ｃ−５各々が対応するフリップフロップ２１ｂ−１〜２１ｂ−５の出力を外部からのサンプリングクロック（ＣＬＫ）によってラッチし、そのラッチ内容を各々ドリフト警報判断部２１ｃ−６に出力する。ここで、サンプリングクロックはドリフト警報検出部２１ｃ内部で生成してもよく、このサンプリングクロックによるサンプリング間隔を可変することでドリフト状態の検出感度を調整することが可能となる。　ドリフト警報判断部２１ｃ−６はフリップフロップ２１ｃ−１〜２１ｃ−５各々の出力を基にドリフト状態を判断し、その判断結果をドリフト警報出力２０３として外部に通知する。
【００２２】
図８は、従来技術２の動作を示すタイミングチャートである。これらの図を用いて動作を説明する。
【００２３】
上記のような構成のＰＬＬ回路が正常に動作している場合には、基準クロック２００に追従して従属クロックが電圧制御発振器２７から出力され、基準クロック２００と従属クロックとが同期状態となっている。この状態のときには基準クロック２００から作成したウインドウパルス２０１と、従属クロックから作成した多位相信号２０２との位相関係は固定となっている。そのため、位相変化信号生成部２１ｂ内の各フリップフロップ２１ｂ−１〜２１ｂ―５による位相Ａ〜位相Ｅでのラッチ結果は５本の出力のうち１本の出力のみがＬｏｗレベルで、残りの４本の出力はＨｉｇｈレベルとなる［図８のサンプリングクロックＣＬＫｂの（１）のタイミング参照］。　この場合、ウインドウパルスのＬｏｗレベル部分をどの位相信号でラッチするかは回路構成及び回路に使用されている部品の定数によって決定される。以後、基準クロック２００と従属クロックとの位相関係は固定であるため、５本の出力各々の状態は変化しない。
【００２４】
位相変化信号生成部２１ｂ内の各フリップフロップ２１ｂ−１〜２１ｂ−５ｅから出力された信号はドリフト警報検出部２１ｃに出力される。ドリフト警報検出部２１ｃでは各フリップフロップ２１ｂ−１〜２１ｂ−５から入力された信号を各フリップフロップ２１ｃ−１〜２１ｃ−５で、ある周波数をもつサンプリングクロックＣＬＫａによってサンプリングされるが、このサンプリングクロックＣＬＫａの周波数はウインドウパルス２０１や多位相信号２０２よりも十分高くする必要がある。
【００２５】
ドリフト警報判断部２１ｃ−６はサンプリングクロックＣＬＫａによって各フリップフロップ２１ｃ−１〜２１ｃ−５でサンプリングしたラッチ結果である信号Ａ〜Ｅの状態変化を観測しており、信号Ａ〜Ｅのうち一定時間以内に２信号以上に状態変化があると基準クロック２００と従属クロックとの同期が外れているドリフト状態であると判断し、そのドリフト異常状態をドリフト警報出力２０３として外部に通知する。
【００２６】
つまり、ドリフト警報判断部２１ｃ−６は各フリップフロップ２１ｃ−１〜２１ｃ−５からの信号Ａ〜Ｅの状態変化ａ〜ｊを観測し、その信号Ａ〜Ｅの状態変化点ａ〜ｊを保持しておく。ドリフト警報判断部２１ｃ−６はサンプリングクロックＣＬＫｂが入力される毎に、すなわち一定時間毎に保持内容をチェックし、状態変化点ａ〜ｊを２つ以上保持している場合にはドリフト状態であると判断する。
【００２７】
ドリフト警報判断部２１ｃ−６は信号Ａ〜Ｅのうち一定時間以内に２信号以上に状態変化がなければ、基準クロック２００と従属クロックとの同期がとれていると判断し、その状態をドリフト警報出力２０３として外部に通知する。
【００２８】
基準クロック２００と従属クロックとの同期が外れた時には、基準クロック２００によって作成したウインドウパルス２０１に対して多位相信号２０２（位相Ａ〜位相Ｅの各信号）が相対的にずれてくる。このため、位相変化信号生成部２１ｂから出力される信号の状態が、位相のずれに応じてＬｏｗレベルとなる１本の出力が変化するという状態になる。
【００２９】
この状態が各フリップフロップ２１ｂ−１〜２１ｂ−５にラッチされてドリフト警報検出部１３に入力され、サンプリングクロックＣＬＫａによって各フリップフロップ１３ａ〜１３ｅでサンプリングされると、信号Ａ〜Ｅが図８に示すように状態変化点ａ〜ｊで変化する。これらの信号Ａ〜Ｅのうち時間の経過に伴って状態が変化する信号は信号Ａ〜Ｃ，Ｅである。
【００３０】
よって、一定時間以内に２本以上の信号Ａ〜Ｃ，Ｅに状態変化が生ずるので、ドリフト警報判断部２１ｃ−６ではドリフト異常と判断し、そのドリフト異常をドリフト警報出力２０３として出力する〔図８のサンプリングクロックＣＬＫｂの（２）〜（４）のタイミング参照〕。
【００３１】
このように、電圧制御発振器２７の従属クロックを基に各々位相の異なる複数の多位相信号２０２を多位相信号生成部２２ｂで生成するとともに、基準クロック２００を基に予め設定されたウインドウパルス２０１をウインドウパルス生成部２４で生成し、これらウインドウパルス２０１及び多位相信号２０２各々の位相のずれを監視する位相変化信号生成部２１ｂの監視結果の時間的変化に基づいてドリフト警報判断部２１ｃでドリフト警報状態を判別することによって、基準クロック２００と従属クロックとの間の同期が外れ、それらの位相関係が連続して変化しても、その変化状態を確実に検出してドリフト警報として出力することができる。
【００３２】
【発明が解決しようとする課題】
しかしながら、従来技術２に開示される技術では、ドリフト警報検出部が基準クロックを基に生成されたウインドウパルスを、従属クロックを基に生成した多位相信号によって監視するためのフリップフロップで構成されている場合、ＰＬＬ回路に異常がない時には図８の（１）に示すような状態で、基準クロックと従属クロックとの位相関係が一定している。このとき、基準クロックを基に生成されたウインドウパルスと従属クロックを基に生成された多位相信号との位相関係も一定している。
【００３３】
ドリフト警報検出部ではフリップフロップがウインドウパルスを多位相信号でラッチしているが、常に一定の値（例えば、Ｈｉｇｈレベル）がラッチされるので、この場合にはＰＬＬ回路が正常状態であることがドリフト警報出力によって通知される。
【００３４】
ＰＬＬ回路が発振器等の故障によって基準クロックに対して自走状態となるような異常が発生すると、図８の（２）〜（４）に示すような動作となる。
【００３５】
基準クロックに対して従属クロックの同期が外れると、従属クロックは基準クロックに対して位相が固定せずに、矢印方向に流れるようになる。図４に示す動作では従属クロックが右方向に流れているが（破線で示す）、従属クロックが左方向に流れることもある。
【００３６】
すると、従属クロックを基に多位相信号生成部で作成された多位相信号も基準クロックに対して流れるようになる。位相変化信号生成部ではウインドウパルスを多位相信号でラッチしているので、多位相信号が流れているためにラッチする位置によってはＨｉｇｈレベルまたはＬｏｗレベルをラッチする。そして警報検出部では、位相変化信号が一定時間内に２つ以上状態変化した場合にドリフト状態と判断し、その状態をドリフト警報として外部に通知する。
【００３７】
つまり、ＰＬＬ回路で故障が発生して同期が外れ、完全に従属クロックが流れている状態ではドリフト警報を検出できるが、図９に示す状態では、基準クロックと従属クロックの位相関係が規定範囲から外れているにもかかわらず、位相変化信号に変化がないため、ドリフト警報検出部では正常状態と判断し、外部に対して正常状態と通知されることとなる。（信号ＡがＬｏｗレベル、信号Ｂ〜ＥがＨｉｇｈレベルの状態が正常とした場合）
そこで、本発明の目的は、上記の問題点を解消し、基準クロックと従属クロックが同期している状態で、それらの位相関係が規定範囲外でロックしている場合及び、同期が外れそれらの位相関係が連続して変化しても、確実にドリフト警報を検出することができるＰＬＬドリフト警報検出方法を提供することにある。
【００３８】
【課題を解決するための手段】
請求項１記載の発明によれば、入力電圧に応じて発振周波数が制御される電圧制御発振器と、基準クロックと前記電圧制御発振器の出力クロックとの位相差に応じた幅のパルスを発生させる位相比較手段と、前記位相比較手段の出力を平滑する平滑化手段とを含むＰＬＬ電圧制御発振回路のドリフト警報状態を検出するＰＬＬドリフト警報検出回路において、前記基準クロックを分周して基準分周クロックを生成する基準クロック分周部と、前記電圧制御発振器から出力周波数を分周して従属分周クロックを生成する従属クロック分周部と、前記従属分周クロックに基づきウインドウパルスを生成するウインドウパルス生成部と、前記基準分周クロックと前記従属分周クロックとの位相状態を監視し予め規定する位相誤差が検出された場合に位相外れ検出信号を出力する位相外れ監視部と、前記位相外れ検出信号の位相変化を検出し位相変化信号を出力する位相変化監視部と、前記位相外れ検出信号と前記位相変化信号の双方又は何れか一方が検出されたときにドリフト状態と判定するドリフト警報検出部と、を備えていることを特徴とするＰＬＬドリフト警報検出回路を得ることができる。
【００３９】
請求項２記載の発明によれば、前記ドリフト警報検出部は、所定のクロックで前記位相外れ検出信号と前記位相変化検出信号を検出することを特徴とする請求項１記載のＰＬＬドリフト警報検出回路を得ることができる。
【００４０】
請求項３記載の発明によれば、前記ウインドウパルス生成部は、前記従属分周クロックの立ち上がり或いは立ち下がりの変化点に同期し所定デューティ比のウインドウパルスを生成することを特徴とする請求項１記載のＰＬＬ警報検出回路を得ることができる。
【００４１】
【発明の実施の形態】
以下、図面を参照して、この発明の好適な実施の形態を例示的に説明する。ただし、この実施の形態に記載されている構成部品の寸法、材質、その相対配置などは、特に特定的な記載がない限りは、この発明の範囲をそれらのみに限定する趣旨のものではない。
【００４２】
図１０に、本発明の一実施の形態に係るＰＬＬドリフト警報検出回路のブロックを示す。この図において、本発明による一実施例によるＰＬＬ回路は位相比較部３１と、基準クロック３００を分周する基準クロック分周部３３と、従属クロックの分周及び、従属クロックを基にウインドウパルス３０４を生成する従属クロック分周部３２と、フィルタ（ＦＩＬ）３４と、増幅器（ＡＭＰ）３５と、電圧制御発振器（ＯＳＣ）３６とから構成されている。
【００４３】
図１０において、位相比較部３１は位相比較波生成部３１ａと、位相監視成部３１ｂと、ドリフト警報検出部３１ｃから構成され、従属クロック分周部３２は従属クロックを分周する従属クロック分周部３２ａと、従属クロックを分周したクロックからウインドウパルス３０２を生成するウインドウパルス生成部３２ｂとから構成されている。
【００４４】
ＯＳＣ３６から出力された従属クロックは従属クロック分周部３２の従属クロック分周部３２ａに入力されて回路構成上決められた値に分周され、位相比較部３１の位相比較波生成部３１ａに出力される。位相比較波生成部３１ａには基準クロック分周部３３で基準クロックが分周されたクロック３０１も入力される。
【００４５】
位相監視部３１ｂには基準クロック、基準クロック分周部３３で生成された基準分周クロック３０１、ウインドウパルス生成部３２ｂで従属クロックを基に作成されたウインドウパルス３０２が入力される。
【００４６】
図１１は図１０の位相比較部３１の位相監視部３１ｂ及びドリフト警報検出部３１ｃ各々の構成を示すブロック図である。図において、位相監視部３１ｂは位相外れ監視部３１ｂ−１、位相変化監視部３１ｂ−２、クリアパルス生成部３１ｂ−３，サンプリングクロック生成部３１ｂ−４で構成され、ドリフト警報検出部３１ｃは位相外れ監視部部３１ｂ―１、位相変化監視部３１ｂ−２及び、サンプリングクロックｆ各々の出力を基にドリフト状態を判断するドリフト警報判断部３１ｃとから構成されている。
【００４７】
位相外れ監視部３１ｂ―１では、基準分周クロック３０１によってウインドウパルス生成部３２ｂからのウインドウパルス３０１をラッチし、そのラッチ内容（位相外れ監視信号ｂ）を位相変化監視部３１ｂ−２及び、ドリフト警報検出部３１ｃに出力する。
【００４８】
位相変化監視部３１ｂ―２では、位相外れ監視部３１ｂ−１からの位相外れ監視信号ｂの状態変化を監視し、そのラッチ内容をドリフト警報検出部３１ｃに出力する。尚、このラッチ内容は、クリアパルス生成部３１ｂ−３からのクリアパルスａにより定期的にクリアされる。
【００４９】
クリアパルス生成部３１ｂ−３では、基準クロックを基に一定間隔で位相変化監視部３１ｂ―２のラッチ内容（位相変化信号ｃ、ｄ）をクリアするクリアパルスａを生成する。
【００５０】
サンプリングクロック生成部３２ｂ−４では、基準クロックを基に一定間隔で位相外れ監視部３１ｂ−１からの出力と位相変化監視部３１ｂ−２からの出力結果をラッチするサンプリングクロック信号ｆを生成する。
【００５１】
ドリフト警報判断部３１ｃは位相外れ監視部３１ｃ−１と位相変化監視部３１ｃ−２の出力を基に、サンプリングクロックｆによってラッチしてドリフト状態を判断し、その判断結果をドリフト警報出力３０３として外部に通知する。このサンプリングクロックによるサンプリング間隔を可変することでドリフト状態の検出感度を調整することが可能となる。
【００５２】
図１２は本実施例の動作を示すタイミングチャートであり、本施例の動作について説明する。
【００５３】
上記のような構成のＰＬＬ回路が正常に動作している場合には、基準クロックに追従して従属クロックがＯＳＣ３６から出力され、基準クロックと従属クロックとが同期状態となっている。この状態のときには基準クロック３００及び、基準分周クロック３０１と、従属クロックから生成したウインドウパルス３０２との位相関係は固定となっている。そのため、位相外れ監視部３１ｂ―１内の各フリップフロップによる基準分周クロック３０１でのラッチ結果はＬｏｗレベルとなる［図１２の位相外れ監視信号ｂ参照］。
【００５４】
以後、基準クロックと従属クロックとの位相が規定範囲内にあれば、位相外れ監視信号ｂの状態は変化しない。
【００５５】
同時に位相変化監視部３１ｂ―２で位相外れ監視部から出力された位相外れ監視信号ｂの状態変化を監視することにより、完全に同期が外れ、基準クロックと従属クロックの位相関係が正常／異常を繰り返すような場合でも、その連続性を監視することにより同期外れを監視し、監視区間内（クリアパルスａの周波数）で位相外れ監視信号ｂに変化がなければ、位相変化監視信号ｃ，ｄ，ｅの状態は変化しない。つまり、位相変化監視部３１ｂ−２は位相同期信号ｂの状態変化を観測し、状態変化信号ｃ、ｄを保持しておく。保持内容はクリアパルスａにより一定時間毎に保持内容を更新し、状態変化がある場合にはドリフト状態であると判断する。
【００５６】
また、同期外れの監視区間はクリアパルスａによって設定がされるが、このクリアパルスａの周波数を低くすることにより精度を上げることが可能である。
【００５７】
（図１２のタイムチャートでは、理解しやすいように周波数を高くしてある）ドリフト警報判断部３１ｃは基準クロックと従属クロックの位相が規定範囲から外れた場合及び、一定時間以内に位相関係に変化があった場合に、基準クロックと従属クロックとの同期が外れているドリフト状態であると判断し、そのドリフト異常状態をドリフト警報出力３０３として外部に通知する。
【００５８】
このように、電圧制御発振器３６の従属クロックを基に予め設定されたウインドウパルス３０２をウインドウパルス生成部３２ｂで生成し、これらウインドウパルス３０２の位相のずれを監視することにより、基準クロックと従属クロックが規定範囲外の位相でロックしている場合や、
同期が外れ基準クロックと従属クロックの位相関係が連続して正常／異常を繰り返す場合でも、その変化状態の連続性を監視してドリフト警報を検出する。
【００５９】
【発明の効果】
本発明のドリフト警報監視方式では、基準クロックと従属クロックの位相関係の異常を検出する機能と、その状態変化を検出する機能を備えることにより、図５に示す同期が完全に外れている状態及び、図９に示す基準クロックと従属クロックの位相関係が規定範囲から外れているにもかかわらず、位相変化信号に変化がないため、ドリフト警報検出部では正常状態と判断する場合でも、確実にドリフト警報を検出することができる。
【００６０】
また、図１１のクリアパルスａとサンプリングクロックｆを外部入力信号とすることで、　特開平０８−２５１０２０の実施例に比べ半分以下の回路規模で実現できる。
【図面の簡単な説明】
【図１】従来技術１に係るＰＬＬドリフト警報検出回路のブロック図ブロック図である。
【図２】ドリフト警報検出部１２ｂの一形態を示す回路である。
【図３】従来技術１に係るドリフト警報検出のタイムチャートである。
【図４】従来技術１の課題を示すタイムチャートである。
【図５】従来技術１における他の課題を示すタイムチャートである。
【図６】従来技術１に係るＰＬＬドリフト警報検出回路のブロック図ブロック図である。
【図７】位相変化信号生成部及びドリフト警報検出部の詳細な回路ブロックである。
【図８】従来技術２に係るドリフト警報検出のタイムチャートである。
【図９】従来技術２の課題を示すタイムチャートである。
【図１０】本発明の一実施形態に係るドリフト警報検出のブロック図である。
【図１１】位相監視部３１ｂ及びドリフト警報検出部３１ｃの一実施例に係る回路ブロック図である。
【図１２】本発明の一実施の形態に係るドリフト警報検出のタイムチャートである。
【符号の説明】
１１　　基準クロック分周部
１２　　位相比較部
１２ａ　位相比較波生成部
１２ｂ　ドリフト警報検出部
１３　　従属クロック分周部
１３ａ　従属クロック分周部
１３ｂ　ウインドウパルス生成部
１４、２５、３４　　フィルタ（ＦＩＬ）
１５、２６、３５　　増幅器（ＡＭＰ）
１６、２７、３６　　電圧制御発振器（ＯＳＣ）
２１　　位相比較部
２１ａ　位相比較波生成部
２１ｂ　位相変化信号生成部
２１ｃ　ドリフト警報検出部
２２　　従属クロック分周部
２２ａ　従属クロック分周部
２２ｂ　多位相信号生成部
２３　　基準クロック分周部
２４　　ウインドウパルス生成部
３１　　位相比較部
３１ａ　位相比較波生成部
３１ｂ　位相監視部
３１ｃ　ドリフト警報検出部
３２　　従属クロック分周部
３２ａ　従属クロック分周部
３２ｂ　ウインドウパルス生成部
３３　　基準クロック分周部
【図１】
2004129093.tif 000003
【図２】
2004129093.tif 000004
【図３】
2004129093.tif 000005
【図４】
2004129093.tif 000006
【図５】
2004129093.tif 000007
【図６】
2004129093.tif 000008
【図７】
2004129093.tif 000009
【図８】
2004129093.tif 000010
【図９】
2004129093.tif 000011
【図１０】
2004129093.tif 000012
【図１１】
2004129093.tif 000013
【図１２】
2004129093.tif 000014